(57)【特許請求の範囲】
【請求項１】
無線通信システムの基地局と、
前記基地局から受信した無線信号を光信号に変換して出力すると共に、受信した光信号を無線信号に変換して前記基地局に出力する中継機と、
受信した光信号を無線信号に変換して増幅し、アンテナから出力する子機とを備え、
前記子機が光ファイバによって前記中継機にチェーン型に複数接続された光伝送システムであって、
前記中継機に接続されたメンテナンス装置を備え、
前記中継機及び子機に予め装置内部の固有遅延時間を示す遅延パラメータを記憶しておき、
前記中継機の遅延パラメータは、前記中継機の無線信号入力端から光信号を出力するまでの遅延時間を示すパラメータであり、
前記子機の遅延パラメータは、上位装置から光信号の基準信号を受信してから光信号で上位装置に返信するまでの遅延時間である第１のパラメータと、上位装置から受信した光信号を下位装置に出力するまでの遅延時間である第２のパラメータと、上位装置から受信した光信号を無線信号に変換してアンテナから出力するまでの遅延時間である第３のパラメータであり、
システム起動時に、前記中継機と前記子機が、下位装置に基準信号を送信したタイミングと、前記下位装置から返信された基準信号を受信したタイミングとの時間差を下位に接続された光ファイバにおける光回線遅延量として測定し、
前記子機が、前記記憶されている第１、第２、第３のパラメータを読み出して、前記測定された光回線遅延量と共に前記中継機に送信し、
前記中継機が、自己が測定した光回線遅延量及び複数の子機が測定した光回線遅延量と、自己の遅延パラメータ及び前記複数の子機の前記第１、第２、第３のパラメータとを前記メンテナンス装置に送信し、
前記メンテナンス装置が、表示部を備え、前記中継機又は前記子機が測定した光回線遅延量と、前記中継機又は前記子機の下位に接続された下位の子機の前記第１のパラメータとの差を求め、当該差の半分の時間を、前記中継機又は前記子機の下位に接続される光ファイバの伝送遅延量として算出し、
前記中継機の遅延パラメータと、前記中継機からアンテナ出力する任意の子機までに通過する全ての光ファイバの伝送遅延量と、前記中継機から前記任意の子機までに通過する全ての子機の第２のパラメータと、前記任意の子機の第３のパラメータとの和の時間を、前記中継機の無線信号入力から当該任意の子機のアンテナ出力までの遅延時間として算出し、
前記各光ファイバの伝送遅延量と、前記各子機の遅延時間とを前記表示部に表示することを特徴とする光伝送システム。
【請求項２】
無線通信システムの基地局と、前記基地局から受信した無線信号を光信号に変換して出力すると共に、受信した光信号を無線信号に変換して前記基地局に出力する中継機と、受信した光信号を無線信号に変換して増幅し、アンテナから出力する子機と、前記中継機に接続されたメンテナンス装置とを備え、前記子機が光ファイバによって前記中継機にチェーン型に複数接続された光伝送システムにおける伝送遅延時間算出方法であって、
前記中継機及び子機に予め装置内部の固有遅延時間を示す遅延パラメータを記憶しておき、
前記中継機の遅延パラメータは、前記中継機の無線信号入力端から光信号を出力するまでの遅延時間を示すパラメータであり、
前記子機の遅延パラメータは、上位装置から光信号の基準信号を受信してから光信号で上位装置に返信するまでの遅延時間である第１のパラメータと、上位装置から受信した光信号を下位装置に出力するまでの遅延時間である第２のパラメータと、上位装置から受信した光信号を無線信号に変換してアンテナから出力するまでの遅延時間である第３のパラメータであり、
システム起動時に、前記中継機と前記子機が、下位装置に基準信号を送信したタイミングと、前記下位装置から返信された基準信号を受信したタイミングとの時間差を下位に接続された光ファイバにおける光回線遅延量として測定し、
前記子機が、前記記憶されている第１、第２、第３のパラメータを読み出して、前記測定された光回線遅延量と共に前記中継機に送信し、
前記中継機が、自己が測定した光回線遅延量及び複数の子機が測定した光回線遅延量と、自己の遅延パラメータ及び前記複数の子機の前記第１、第２、第３のパラメータとを前記メンテナンス装置に送信し、
前記メンテナンス装置が、前記中継機又は前記子機が測定した光回線遅延量と、前記中継機又は前記子機の下位に接続された下位の子機の前記第１のパラメータとの差を求め、当該差の半分の時間を、前記中継機又は前記子機の下位に接続される光ファイバの伝送遅延量として算出し、
前記中継機の遅延パラメータと、前記中継機からアンテナ出力する任意の子機までに通過する全ての光ファイバの伝送遅延量と、前記中継機から前記任意の子機までに通過する全ての子機の第２のパラメータと、前記任意の子機の第３のパラメータとの和の時間を、前記中継機の無線信号入力から当該任意の子機のアンテナ出力までの遅延時間として算出することを特徴とする伝送遅延時間算出方法。
【発明の詳細な説明】
【技術分野】
【０００１】
本発明は、無線通信システムで用いられる光伝送システムに係り、特に子機やＨＵＢを多段に接続したシステムにおいて、運用開始前にシステム遅延量を測定して、システム運用後の不具合を防ぐことができ、適切なサービスを提供することができる光伝送システムに関する。
【背景技術】
【０００２】
［先行技術の説明］
デジタル移動体通信では、高出力の送信増幅器が用いられる。従来は、送信増幅器は基地局と同一の架に設置されることが多かったが、近年、無線部と送信増幅器の機能を備えた送受信増幅器を基地局と切り離して、両者を光ファイバで接続する構成も用いられている。このような構成をＲＯＦ（Radio On Fiber）、ＲＲＨ（Remote Radio Head）と称する。
ＲＯＦ、ＲＲＨを用いることにより、通信品質を向上し、運用コストを低減し、保守を容易にするといった効果がある。
【０００３】
［基地局と送受信増幅器の構成例：図７］
ＲＯＦ、ＲＲＦにおける基地局と送受信増幅器の構成例について図７を用いて説明する。図７は、基地局と送受信増幅器の構成例を示す模式説明図であり、（ａ）はスター型（Star topology）、（ｂ）はチェーン型（Chain topology）の例である。
図７（ａ）に示すように、スター型では、基地局５５に、送受信増幅器（図では「TRX-AMP」）５７ａ、５７ｂが光ファイバ５６を介して接続している。
【０００４】
基地局５５は、光インタフェース（Ｉ／Ｆ）を実装しており、基地局５５から送受信増幅器５７への信号を電気信号から光信号に変換して光ファイバ５６を介して送信すると共に、送受信増幅器５７から受信した光信号を電気信号に変換する。
光ファイバ５６は、光信号を伝送するものであり、CPRI、OBSAI等の規格がある。
【０００５】
送受信増幅器５７は、光信号と電気信号の変換を行う光電気変換部及び電気光変換部を備え（図示せず）、光ファイバ５６を介して基地局５５から送信された送信データを受信して増幅し、アンテナから出力すると共に、アンテナで受信した受信データを増幅して光ファイバ５６を介して基地局５５に送信する。
【０００６】
スター型では、子局である送受信増幅器５７が、それぞれ基地局５５の光インタフェースに接続する構成となっている。
【０００７】
また、図７（ｂ）に示すように、チェーン型では、基地局５５に、光ファイバ５６を介して送受信増幅器５７ａが接続され、更に、送受信増幅器５７ａに光ファイバを介して送受信増幅器５７ｂが接続されている。
つまり、送受信増幅器５７ｂは、送受信増幅器５７ａを経由して基地局５５と接続されている。
【０００８】
チェーン型で用いられる送受信増幅器５７ａは、スレーブポート（slave port）とマスタポート（master port）の２つのポートを備えており、スレーブポートで上位の基地局５５との送受信を行い、スレーブポートで下位の送受信増幅器５７ｂとの送受信を行う。
スレーブポートは、つながり先のクロックで動作するための入出力ポートであり、マスタポートは、つながり先を出力クロックで動作させるための入出力ポートである。
【０００９】
［光伝送システムの概要：図８］
また、光伝送システムは、基地局と中継機と子機を光ファイバもしくは同軸ケーブルによって接続したものであり、基地局が出力する信号をそのまま遠方の不感地帯へ伝送し、移動体通信のサービスエリアの拡大を図るものである。基地局と中継機との間は、光ファイバを用いるのが一般的である。
【００１０】
ここで、光伝送システムの概要について図８を用いて説明する。図８は、光伝送システムの概要を示す模式説明図である。
図８に示すように、光伝送システムは、基地局（図では「ＢＴＳ」）６１と、光インタフェース（図では「ＢＴＳ−ＩＦ」）６２と、光ファイバ６３と、中継機６４と、複数の子機６５とから構成されている。
【００１１】
基地局６１は、移動体無線システムの基地局であり、高周波信号の送受信を行う。
光インタフェース６２は、基地局６１からの高周波信号を同軸接続で受信して、光信号に変換して光ファイバ６３を介して中継機６４に送信する。また、光インタフェース６２は、光ファイバ６３を介して受信した中継機６４からの光信号を電気信号に変換して同軸ケーブルで基地局６１に送信する。
【００１２】
中継機６４は、基地局６１から遠く離れた場所に設置され、光ファイバ６３から受信した光信号を電気信号に変換し、子機６５-1、６５-2、…６５-nに分配出力する。また、中継機６４は、子機６５-1、６５-2、…６５-nから受信した電気信号を多重化し、光信号に変換して光ファイバ６３経由で光インタフェース６２に送信する。
この例では、中継機６４と子機６５との間は同軸ケーブルで接続されているが、中継機６４と子機６５との間の距離が長い場合等は光ファイバを用いる。
【００１３】
子機６５は、中継機６４から受信した高周波信号を増幅し、アンテナを介して無線信号として出力すると共に、移動端末から送信された無線信号を受信して増幅し、中継機に向けて出力する。
このように、光伝送システムは、ビル内等の無線信号が到達しない不感地帯でも移動体通信を可能とし、移動体無線システムのサービスエリアの拡大を図ることができるものである。
【００１４】
また、図示は省略するが、基地局に接続する中継機（親機）６４に、子機６５またはハブ（ＨＵＢ）を多段に複数接続したチェーン型の構成を備えた光伝送システムもある。この場合、子機及びＨＵＢにはスレーブポートとマスターポートが設けられている。
【００１５】
［先行技術文献］
尚、光伝送システムに関する先行技術としては、特開２００３−１６３６３４号公報（特許文献１）がある。
特許文献１には、高周波信号を局部信号ＬＯを用いて周波数変換器でダウンコンバージョンし、第１のレーザダイオードで第１波長の光信号に変換し、更にＬＯを第２のレーザダイオードで第２波長の光信号に変換し、第１波長の光信号と第２波長の光信号とをカプラで合成して光ファイバ伝送路に送信する光送信装置が記載されている。
【００１６】
【特許文献１】特開２００３−１６３６３４号公報
【発明の開示】
【発明が解決しようとする課題】
【００１７】
しかしながら、従来の光伝送システムでは、多くの子機やＨＵＢをチェーン型に接続する場合、長距離の光伝送が重なるために、基地局のサービスエリアを超える遅延量が発生するおそれがある。
【００１８】
例えば、光伝送において一般的に用いられるＳＦＰ（Small Form-Factor Pluggable）モジュールでは、２０km以上の光伝送が可能となるものがあり、例えば、中継機（親機）に光ファイバによって接続される１段目の子機は２０km分の遅延であるが、４段目の子機では、８０km分にもなり、８０kmのセルサーチができる基地局でなければ正常運用ができない。
【００１９】
従来の光伝送システムでは、伝送遅延量を予め測定する手段はなく、システムの運用開始後に初めて正常サービスができないことが判明して、原因究明や、回線設計のやり直し、システム設置のやり直しといった膨大な作業が必要となり、システムの正常運用を開始するまでに多くの時間と労力を要する場合があるという問題点があった。
【００２０】
本発明は上記実状に鑑みて為されたもので、システムの運用開始前に伝送遅延量を算出して一覧表示することにより、不具合があればサービス開始前に改善でき、低コスト及び短時間で信頼性の高いシステムを実現することができる光伝送システムを提供することを目的とする。
【課題を解決するための手段】
【００２１】
上記従来例の問題点を解決するための本発明は、無線通信システムの基地局と、基地局から受信した無線信号を光信号に変換して出力すると共に、受信した光信号を無線信号に変換して基地局に出力する中継機と、受信した光信号を無線信号に変換して増幅し、アンテナから出力する子機とを備え、子機が光ファイバによって中継機にチェーン型に複数接続された光伝送システムであって、中継機に接続されたメンテナンス装置を備え、中継機及び子機に予め装置内部の固有遅延時間を示す遅延パラメータを記憶しておき、中継機の遅延パラメータは、中継機の無線信号入力端から光信号を出力するまでの遅延時間を示すパラメータであり、子機の遅延パラメータは、上位装置から光信号の基準信号を受信してから光信号で上位装置に返信するまでの遅延時間である第１のパラメータと、上位装置から受信した光信号を下位装置に出力するまでの遅延時間である第２のパラメータと、上位装置から受信した光信号を無線信号に変換してアンテナから出力するまでの遅延時間である第３のパラメータであり、システム起動時に、中継機と子機が、下位装置に基準信号を送信したタイミングと、下位装置から返信された基準信号を受信したタイミングとの時間差を下位に接続された光ファイバにおける光回線遅延量として測定し、子機が、記憶されている第１、第２、第３のパラメータを読み出して、測定された光回線遅延量と共に中継機に送信し、中継機が、自己が測定した光回線遅延量及び複数の子機が測定した光回線遅延量と、自己の遅延パラメータ及び複数の子機の第１、第２、第３のパラメータとをメンテナンス装置に送信し、メンテナンス装置が、表示部を備え、中継機又は子機が測定した光回線遅延量と、中継機又は当該子機の下位に接続された下位の子機の第１のパラメータとの差を求め、当該差の半分の時間を、中継機又は当該子機の下位に接続される光ファイバの伝送遅延量として算出し、中継機の遅延パラメータと、中継機からアンテナ出力する任意の子機までに通過する全ての光ファイバの伝送遅延量と、中継機から当該任意の子機までに通過する全ての子機の第２のパラメータと、任意の子機の第３のパラメータとの和の時間を、前記中継機の無線信号入力から当該任意の子機のアンテナ出力までの遅延時間として算出し、各光ファイバの伝送遅延量と、各子機の遅延時間とを表示部に表示することを特徴としている。
【００２２】
また、本発明は、無線通信システムの基地局と、基地局から受信した無線信号を光信号に変換して出力すると共に、受信した光信号を無線信号に変換して基地局に出力する中継機と、受信した光信号を無線信号に変換して増幅し、アンテナから出力する子機と、中継機に接続されたメンテナンス装置とを備え、子機が光ファイバによって中継機にチェーン型に複数接続された光伝送システムにおける伝送遅延時間算出方法であって、中継機及び子機に予め装置内部の固有遅延時間を示す遅延パラメータを記憶しておき、中継機の遅延パラメータは、中継機の無線信号入力端から光信号を出力するまでの遅延時間を示すパラメータであり、子機の遅延パラメータは、上位装置から光信号の基準信号を受信してから光信号で上位装置に返信するまでの遅延時間である第１のパラメータと、上位装置から受信した光信号を下位装置に出力するまでの遅延時間である第２のパラメータと、上位装置から受信した光信号を無線信号に変換してアンテナから出力するまでの遅延時間である第３のパラメータであり、システム起動時に、中継機と子機が、下位装置に基準信号を送信したタイミングと、下位装置から返信された基準信号を受信したタイミングとの時間差を下位に接続された光ファイバにおける光回線遅延量として測定し、子機が、記憶されている第１、第２、第３のパラメータを読み出して、測定された光回線遅延量と共に中継機に送信し、中継機が、自己が測定した光回線遅延量及び複数の子機が測定した光回線遅延量と、自己の遅延パラメータ及び複数の子機の第１、第２、第３のパラメータとをメンテナンス装置に送信し、メンテナンス装置が、中継機又は子機が測定した光回線遅延量と中継機又は当該子機の下位に接続された下位の子機の第１のパラメータとの差を求め、当該差の半分の時間を、中継機又は当該子機の下位に接続される光ファイバの伝送遅延量として算出し、中継機の遅延パラメータと、中継機からアンテナ出力する任意の子機までに通過する全ての光ファイバの伝送遅延量と、中継機から任意の子機までに通過する全ての子機の第２のパラメータと、任意の子機の第３のパラメータとの和の時間を、中継機の無線信号入力から当該任意の子機のアンテナ出力までの遅延時間として算出することを特徴としている。
【発明の効果】
【００２３】
本発明によれば、中継機に接続されたメンテナンス装置を備え、中継機及び子機に予め装置内部の固有遅延時間を示す遅延パラメータを記憶しておき、中継機の遅延パラメータは、中継機の無線信号入力端から光信号を出力するまでの遅延時間を示すパラメータであり、子機の遅延パラメータは、上位装置から光信号の基準信号を受信してから光信号で上位装置に返信するまでの遅延時間である第１のパラメータと、上位装置から受信した光信号を下位装置に出力するまでの遅延時間である第２のパラメータと、上位装置から受信した光信号を無線信号に変換してアンテナから出力するまでの遅延時間である第３のパラメータであり、システム起動時に、中継機と子機が、下位装置に基準信号を送信したタイミングと、下位装置から返信された基準信号を受信したタイミングとの時間差を下位に接続された光ファイバにおける光回線遅延量として測定し、子機が、記憶されている第１、第２、第３のパラメータを読み出して、測定された光回線遅延量と共に中継機に送信し、中継機が、自己が測定した光回線遅延量及び複数の子機が測定した光回線遅延量と、自己の遅延パラメータ及び複数の子機の第１、第２、第３のパラメータとをメンテナンス装置に送信し、メンテナンス装置が、表示部を備え、中継機又は子機が測定した光回線遅延量と、中継機又は当該子機の下位に接続された下位の子機の第１のパラメータとの差を求め、当該差の半分の時間を、中継機又は当該子機の下位に接続される光ファイバの伝送遅延量として算出し、中継機の遅延パラメータと、中継機からアンテナ出力する任意の子機までに通過する全ての光ファイバの伝送遅延量と、中継機から当該任意の子機までに通過する全ての子機の第２のパラメータと、任意の子機の第３のパラメータとの和の時間を、前記中継機の無線信号入力から当該任意の子機のアンテナ出力までの遅延時間として算出し、各光ファイバの伝送遅延量と、各子機の遅延時間とを表示部に表示する光伝送システムとしているので、システムの運用前に遅延量を把握することができ、不具合があればサービス運用を開始する前に改善することができ、低コスト且つ短時間で信頼性の高いシステムを実現することができる効果がある。
【発明を実施するための最良の形態】
【００２４】
［発明の概要］
本発明の実施の形態について図面を参照しながら説明する。
本発明の実施の形態に係る光伝送システムは、下位装置である子機やＨＵＢが、それぞれマスタポートで光回線遅延時間を測定し、測定された光回線遅延時間と、予め各装置に記憶された装置特有の遅延パラメータとを上位装置に送信し、中継機（親機）が各装置からの光回線遅延時間とパラメータとを収集して中継機に接続されたメンテナンスツール（ＭＴ）に出力し、ＭＴが、中継機の入力端から各装置の無線出力端までの遅延量及びシステムの最大遅延量を算出して、システムの概略図と共に一覧表示するようにしているので、システムの運用前にどの程度の遅延が発生するのかを知ることができ、システムが正常動作できない遅延となる場合には事前に改善でき、信頼性の高いシステムを実現できるものである。
【００２５】
［実施の形態の光伝送システムの構成：図１］
図１は、本発明の実施の形態に係る光伝送システム（本装置）の一例を示す概略構成図である。
図１に示すように、本装置は、基地局（図では「BTS」と記載）１と、中継機（親機）２と、子機４ａ〜４ｄと、ＨＵＢ５と、メンテナンスツール（ＭＴ）６とを備え、中継機２と子機４、子機４同士、子機４とＨＵＢ５とは光ファイバ３によって接続されている。メンテナンスツール６は、請求項に記載した「メンテナンス装置」に相当している。
【００２６】
中継機２は、基地局１と子機４との通信を中継するものであり、基地局１と同軸接続され、基地局１から受信した無線信号を光信号に変換して光ファイバ３に出力すると共に、光ファイバ３から受信した光信号を無線信号に変換して基地局１に出力する。
中継機２は、光ファイバ３が接続する複数のポート（マスタポート）２２を備えており、複数の子機４やＨＵＢ５が接続可能となっている。図１の例では、子機４ａ及び４ｂが中継機２のマスタポート２２に接続されている。
本システムの特徴として、中継機２は、内部に設けられた不揮発性メモリ（図示せず）に装置内部の遅延を示すパラメータを記憶している。パラメータについては後で説明する。
【００２７】
子機４は、図示は省略するが、光信号の送受信を行う光信号送受信部と、光信号と無線信号の相互変換を行う光インタフェース部と、無線信号の信号処理を行う信号処理部と、無線信号の送受信及び増幅を行う無線部と、装置全体の制御を行う制御部と、データを記憶する記憶部とを備えており、上位装置及び下位装置とは光通信を行い、移動局（図示せず）とは無線通信を行う送受信増幅器（ＴＲＸ−ＡＭＰ）である。
【００２８】
そして、子機４は、中継機２から受信した光信号を無線信号に変換し、増幅して無線出力すると共に、移動局から受信した無線信号を増幅して光信号に変換し、中継機２に送信する。それと共に、子機４は、中継機２から受信した光信号を下位の子機４又はＨＵＢ５に出力する。
【００２９】
そして、子機４は、光信号送受信部として、上位装置に接続するスレーブポート４１と、下位装置に接続するマスタポート４２の２種類のポートを備え、チェーン型のシステムを構築可能とするものである。
【００３０】
また、ＨＵＢ５は、上位装置の中継機２又は子機４から受信した信号を分配して、下位装置の子機４又はＨＵＢ５に送信すると共に、下位装置の子機４又はＨＵＢ５から受信した信号を多重化して、上位装置に送信する。
ＨＵＢ５は、上位装置に接続する１つのスレーブポート５１と、複数の下位装置に接続する複数のマスタポート５２を備えている。
このように、チェーン型での接続が可能な子機４及びＨＵＢ５を用いることによって、システム設計の自由度が広がるものである。
【００３１】
また、本システムの特徴として、各下位装置（子機４及びＨＵＢ５）は、ＭＴ６において遅延量を算出するために必要なパラメータを不揮発性メモリ（図示せず）に記憶している。パラメータは、装置内部で発生する固定遅延量を示すものであり、後で詳しく説明する。
【００３２】
更に、本システムの特徴として、各下位装置は、本システムのシステム起動時に、下位装置と接続する光ファイバ３の遅延量（光回線遅延量）を測定し、当該光回線遅延量と、不揮発性メモリに記憶されたパラメータを中継機２に送信する。子機４及びＨＵＢ５の動作については後で説明する。
【００３３】
更にまた、本システムの特徴として、各装置（中継機２、子機４、ＨＵＢ５）のマスタポートは、光回線遅延量を測定するための基準タイミングを出力する。
基準タイミングとしては、例えばシリアル伝送において一般的に使用されるK28.5のスペシャルコードが用いられる。これにより、回路規模を小さくすることができるものである。基準タイミングは一定周期で出力される。
【００３４】
ＭＴ６は、パーソナルコンピュータ等の情報処理装置であり、制御部、記憶部、入力部及び表示部等を備えている（図示せず）。
制御部は、ＣＰＵ（Central Processing Unit）から構成され、本システムにおける遅延量を表示する処理を実現する各種処理手段を備えている。
記憶部はハードディスク、メインメモリ等で構成され、制御部で実行される処理プログラムを記憶している。そして、制御部がハードディスクに記憶されている処理プログラムをメインメモリに展開して起動することによって各種処理手段が実現されるものである。
また、ＭＴ６の記憶部には、予め本システム全体の概略構成を表示するシステム概略図の表示データや、伝送遅延を表示する表示データが記憶されている。
【００３５】
［本システムの動作の概略：図２］
本システムの動作の概要について図２を用いて説明する。図２は、本システムの動作の概要を示す説明図である。
ＭＴ６は、本装置のシステム起動時に、制御部が、中継機２から必要な数値情報を取得して、数値情報に基づいて、中継機２の入力端から各下位装置の出力端までの遅延を算出し、表示部に、システム概略図と共に表示する。更に、ＭＴ６の制御部は、システムの最大遅延量を算出して表示する。
必要な数値情報は、中継機２、子機４、ＨＵＢ５に記憶されているパラメータ及びこれらの各装置が測定した光回線遅延量である。
【００３６】
例えば、図２の例では、基地局１から出力された無線信号が中継機２の入力端に入力されてから、光信号に変換され、子機４ａ、ＨＵＢ５、子機４ｃ、及び光ファイバ８０km（２０km×４）を経て子機４ｄに入力され、子機４ｄで再び無線信号に変換されてアンテナから出力されるまでの遅延が最大システム遅延量となる。
最大遅延量を表示することにより、システムが正常に動作可能か否かを容易に判断することができるものである。
【００３７】
［パラメータ及び光回線遅延量について：図３］
本システムの下位装置に記憶されているパラメータについて図３を用いて説明する。図３（ａ）は、Toffset、Tcascade、Tsigdlyのパラメータを示す模式説明図であり、（ｂ）は、光回線遅延量（Tswdly）を示す模式説明図である。
図３（ａ）に示すように、子機４の不揮発性メモリに記憶されているパラメータは、Toffset、Tcascade、Tsigdlyの３種類である。
Toffset#nは、子機#n（又はＨＵＢ#n）が、スレーブポート４１で上位装置から基準タイミング信号を受け取って、スレーブポート４１から上位装置に基準タイミング信号を出力するまでの時間である。Toffsetは、請求項の「第１のパラメータ」に相当する、
【００３８】
また、Tcascade#nは、子機#n（又はＨＵＢ#n）が、スレーブポート４１で上位装置から基準タイミイング信号を受け取って、マスタポート４２から下位装置に基準タイミング信号を出力するまでの時間である。Tcascadeは、請求項の「第２のパラメータ」に相当する。
【００３９】
また、Tsigdly#nは、子機#nが、スレーブポート４１で上位装置から基準タイミイング信号を受け取って、ＤＳＰ（Digital Signal Processor）でデジタル信号処理を行って、無線部（図ではＲＦ）で増幅してアンテナから出力するまでの時間である。Tsigdlyは、請求項の「第３のパラメータ」に相当する。
Toffset、Tcascade、Tsigdlyのパラメータに付される番号（#n）は、システム内のどの装置のパラメータであるかを示す識別番号となっている。
尚、ＨＵＢ５には、ToffsetとTcascadeのパラメータが記憶されている。
【００４０】
次に、中継機２のパラメータについて説明する。
中継機２のパラメータは、TsigdlyPであり、これは、中継機２において、無線入力端から基地局１が出力する無線信号を入力し、マスタポートから光信号として出力するまでの処理遅延時間である。TsigdlyPは、中継機２の不揮発性メモリに記憶されており、請求項の「中継機のパラメータ」に相当する。
【００４１】
次に、図３（ｂ）を用いて、本システムの光回線遅延量の測定について説明する。
図３（ｂ）に示すように、光回線遅延量（Tswdly）は、中継機２、子機４、ＨＵＢ５のマスタポートにおいて測定されるものである。ここでは子機を例として説明する。
子機#n-1は、マスタポート４２において、マスタポート４２が下位装置に対して基準タイミング信号を出力した時間と、マスタポート４２で下位装置が出力した基準タイミング信号を受け取った時間との時間差（Tswdly#n）を測定する。そして、測定されたTswdly#nは、上述した他のパラメータと共に中継機２に送信される。
光回線遅延量Tswdlyも、付される番号（#n）により、システム内のどの光ファイバによる遅延量であるかを識別できるようになっている。
【００４２】
［光回線遅延量（Tswdly）算出部：図４］
次に、中継機２、子機４、ＨＵＢ５のマスタポートの光回線遅延量（Tswdly）算出部について図４を用いて説明する。図４は、子機４のマスタポートの光回線遅延量（Tswdly）算出部の構成ブロック図である。尚、ここでは子機４を例として説明するが、中継機２及びＨＵＢ５の光回線遅延量（Tswdly）算出部も同じ構成及び動作である。
図４に示すように、子機４のマスタポート４２の光回線遅延量算出部は、基準タイミング生成部４２２と、パラレル／シリアル変換部（Ｐ／Ｓ）４２３と、電気光変換部（Ｅ／Ｏ）４２４と、光電気変換部（Ｏ／Ｅ）４２５と、シリアル／パラレル変換部（Ｓ／Ｐ）４２６と、時間差測定部４２７とを備えている。また、子機４にはマスタポートの外に、制御部４３と、パラメータを記憶する不揮発性メモリ４４が設けられている。
【００４３】
基準タイミング生成部４２２は、一定周期で基準タイミングを生成するものである。
時間差測定部４２７は、送信される基準タイミング（送信基準タイミング）と、受信された基準タイミング（受信基準タイミング）とを入力し、両者の時間差を測定するものである。
【００４４】
そして、各装置のマスタポート４２では、システム起動時に光回線遅延量（Tswdly）の測定を行う。光回線遅延量測定の動作について説明する。
基準タイミング生成部４２２では、一定周期で基準タイミングを生成し、送信基準タイミングとして、パラレル／シリアル（Ｐ／Ｓ）変換部４２３と、時間差測定部４２７に出力する。
パラレル／シリアル変換部（Ｐ／Ｓ）４２３は、入力されたパラレル信号をシリアル信号に変換し、電気光変換部（Ｅ／Ｏ）４２４は、電気信号を光信号に変換して、光ファイバを介して下位装置の子機４又はＨＵＢ５に出力する。
【００４５】
また、光電気変換部（Ｏ／Ｅ）４２５は、光ファイバを介して下位装置から受信した光信号を電気信号に変換し、シリアル／パラレル変換部（Ｓ／Ｐ）４２６は、シリアルデータの電気信号をパラレル信号に変換して、受信基準タイミングとして時間差測定部４２７に出力する。
【００４６】
時間差測定部４２７は、基準タイミング生成部４２２から生成された送信基準タイミングと、シリアル／パラレル変換部（Ｓ／Ｐ）４２６から入力された受信基準タイミングとの時間差を測定し、測定結果を光回線遅延量（Tswdly）として制御部４３に出力する。
【００４７】
制御部４３は、不揮発性メモリ４４からToffset、Tcascade、Tsigdlyのパラメータを読み取って、光回線遅延量（Tswdly）と共に、スレーブポート４１を介して中継機２に送信する。送信データには送信元を特定する識別番号等のデータが含まれるものである。
【００４８】
中継機２及びＨＵＢ５では、複数のマスタポートを備えているので、光ファイバが接続されたマスタポートでは全て上述した光回線遅延量の測定が行われる。
尚、中継機２の制御部は、複数の下位装置から送信される光回線遅延量と、パラメータとを受信して、中継機２で測定した光回線遅延量及び中継機２に記憶されているパラメータと共にＭＴ６に出力する。
【００４９】
［本システムの動作：図５］
次に、本システムの動作について図５を用いて説明する。図５は、本システムの動作を示す模式説明図である。
システムが起動されると（Ｓ０）、システム内の中継機、子機、ＨＵＢは、それぞれのマスタポートにおいて、図４で説明した方法によって光回線遅延量（Tswdly）を測定し、制御部内のワークエリアに保持する（Ｓ１１〜Ｓ１４）。
【００５０】
そして、各装置の制御部は、不揮発性メモリからパラメータを読み取る。ここで、中継機２の制御部は、パラメータTsigdlyPを読み取る（Ｓ２１）。また、下位装置の子機#1、…子機#nの制御部は、パラメータToffset、Tcascade、Tsigdlyを読み取り、ＨＵＢ#2の制御部は、パラメータToffset、Tcascadeを読み取る（Ｓ２２〜Ｓ２４）。
【００５１】
そして、下位装置の制御部は、測定した光回線遅延量と、読み取ったパラメータとを中継機２に送信する（Ｓ３１〜Ｓ３３）。
中継機２の制御部は、下位装置から送信された光回線遅延量及びパラメータを受信して、ＭＴ６に送信すると共に、中継機２で測定したTswdly#1及び不揮発性メモリから読み取ったTsigdlyPをＭＴ６に送信する（Ｓ４１）。
【００５２】
ＭＴ６では、受信した光回線遅延量及びパラメータに基づいて、各光ファイバの伝送遅延量と、各子機のアンテナ出力までの遅延量を算出し（Ｓ５１）、システム概略図と共に表示する（Ｓ５２）。
このようにして、本システムの動作が行われるものである。
【００５３】
［遅延量の算出］
次に、ＭＴ６における遅延量の算出方法について説明する。
ＭＴ６では、中継機２から取得した数値に基づいて、各光ファイバの伝送遅延量と、中継機２の入力端から各子機の無線出力端までの遅延量の算出を行う。
［光ファイバの伝送遅延算出］
光ファイバの伝送遅延量（Toptdly）は、マスタポートで測定された光回線遅延量（Tsigdly）からToffsetを差し引いた時間（μsec）の半分で表される。
つまり、  Toptdly#n＝（Tsigdly#n−Toffset#n）×１／２      となる。
【００５４】
［親機入力端から子機出力端までの遅延算出］
各子機出力端までの遅延量は、中継機２が入力した無線信号が、各々の子機のアンテナから出力するまでの時間である。
子機#1の遅延量Ｔ#1は、中継機２内部の固定遅延（TsigdlyP）と、中継機２と子機#1とを接続する光ファイバの伝送遅延と、子機#1の入力端から無線出力端までの遅延（Tsigdly#1）を加算したものであるから、
Ｔ#1＝TsigdlyP＋Toptdly#1＋Tsigdly#1      となる。
【００５５】
また、子機#2の遅延量Ｔ#2は、中継機２内部の固定遅延（TsigdlyP）と、中継機２と子機#1とを接続する光ファイバの伝送遅延と、子機#1内部の光信号の遅延（Tcascade#1）と、子機２の入力端から無線出力端までの遅延（Tsigdly#2）とを加算したものであるから、
Ｔ#2＝TsigdlyP＋（Toptdly#1＋Toptdly#2）＋（Tcascade#1＋Tsigdly#2）  となる。
【００５６】
同様に、子機#nの遅延量Ｔ#nは、
Ｔ#n＝TsigdlyP＋（Toptdly#1＋Toptdly#2＋…＋Toptdly#n）＋
（Tcascade#1＋Tcascade#2＋…Tcascade#n-1＋Tsigdly#n）  となる。
以下同様にして、システム内の全ての下位装置における遅延量が算出されるものである。
また、システムにＨＵＢ５が含まれる場合には、ＨＵＢ５より下位の子機の遅延量にはＨＵＢ５のTcascadeが加算される。
更に、本システムのＭＴ６では、全ての子機における遅延量を算出して、その中の最大遅延量を選択する。
【００５７】
［表示例：図６］
次に、ＭＴ６における遅延量の表示例について図６を用いて説明する。図６は、遅延量の表示例を示す説明図である。
図６に示すように、ＭＴ６では、算出された光ファイバの伝送遅延量と、中継機から入力された信号が子機のアンテナから出力されるまでの遅延量とをシステムの概略図上で一覧表示するようにしている。
これにより、各子機の無線出力端でどの程度の遅延が発生するのかがシステム運用開始前に確認できるものである。
更に、最大遅延量を表示することにより、システム内の最大の遅延量が一目でわかるので、システム運用上不具合が発生するおそれがあるかどうかを直ちに知ることができるものである。
【００５８】
［実施の形態の効果］
本発明の実施の形態に係る光伝送システムによれば、子機がチェーン型に接続され、パラメータとして、中継局が、基地局からの無線信号の入力端から光信号の出力端までの固定遅延量のTsigdlyPを記憶し、子機が、スレーブポートで上位装置から基準タイミング信号を受け取って、スレーブポートから上位装置に基準タイミング信号を出力するまでの時間であるToffsetと、スレーブポートで上位装置から基準タイミング信号を受け取って、マスタポートから下位装置に基準タイミング信号を出力するまでの時間であるTcascadeと、スレーブポートで上位装置から基準タイミイング信号を受け取って、アンテナから出力するまでの時間であるTsigdlyを記憶しておき、システム起動時に、中継機及び各子機が、それぞれマスタポートに接続する光回線の遅延時間Tswdlyを測定し、各子機が、測定した光回線遅延時間と記憶されているパラメータを中継機に送信し、中継機がTsigdlyP及び中継機及び子機で測定した光回線遅延時間と各子機のパラメータをメンテナンスツール６に送信し、メンテナンスツール６が、受信した光回線遅延時間及びパラメータに基づいて、各光ファイバの伝送遅延時間と、各子機の無線出力端までの遅延時間を算出して表示する光伝送システムとしているので、システム運用開始前に、どの程度の遅延が発生するかを知ることができ、事前に基地局のセルサーチが可能かどうかを判断でき、不十分な場合には対策を施すことにより、システムが正常運用できる状態になってからサービス運用を開始することができ、実際に運用開始してから不具合を改善するのに比べて、低コスト且つ短時間で信頼性の高いシステムを実現することができる効果がある。
【００５９】
また、本システムによれば、メンテナンスツール６が、システムの最大遅延時間を表示するようにしているので、操作者は、不具合が発生するか否かを最大遅延時間によって容易に判断することができる効果がある。
【産業上の利用可能性】
【００６０】
本発明は、子機やＨＵＢを多段に接続したシステムにおいて、運用開始前にシステム遅延量を測定して、システム運用後の不具合を防ぐことができ、適切なサービスを提供することができる光伝送システムに関する。
【図面の簡単な説明】
【００６１】
【図１】本発明の実施の形態に係る光伝送システム（本装置）の一例を示す概略構成図である。
【図２】本システムの動作の概要を示す説明図である。
【図３】（ａ）は、Toffset、Tcascade、Tsigdlyのパラメータを示す模式説明図であり、（ｂ）は、光回線遅延量（Tswdly）を示す模式説明図である。
【図４】子機４のマスタポートの光回線遅延量（Tswdly）算出部の構成ブロック図である。
【図５】本システムの動作を示す模式説明図である。
【図６】遅延量の表示例を示す説明図である。
【図７】基地局と送受信増幅器の構成例を示す模式説明図であり、（ａ）はスター型（Star topology）、（ｂ）はチェーン型（Chain topology）の例である。
【図８】光伝送システムの概要を示す模式説明図である。
【符号の説明】
【００６２】
１…基地局、  ２…中継機（親機）、  ３…光ファイバ、  ４…子機、  ５…ＨＵＢ、  ６…メンテナンスツール（ＭＴ）、  ４１，５１…スレーブポート、  ２２，４２，５２…マスタポート、  ４２２…基準タイミング生成部、  ４２３…パラレル／シリアル変換部、  ４２４…電気光変換部、  ４２５…光電気変換部、  ４２６…シリアル／パラレル変換部、  ４２７…時間差測定部、  ４３…制御部、  ４４…不揮発性メモリ、  ５５…基地局、  ５６…光ファイバ、  ５７…送受信増幅器、  ６１…基地局、  ６２…光インタフェース、  ６３…光ファイバ、  ６４…中継機、  ６５…子機
【図１】
0004988492.tif 000002
【図２】
0004988492.tif 000003
【図３】
0004988492.tif 000004
【図４】
0004988492.tif 000005
【図５】
0004988492.tif 000006
【図６】
0004988492.tif 000007
【図７】
0004988492.tif 000008
【図８】
0004988492.tif 000009